(57)【要約】【課題】  音楽鑑賞の妨害をされることなく、且つ携帯電話への電話やメールの受信があったことを告知可能な携帯音楽プレーヤを提供する。【解決手段】  本発明に係る携帯音楽プレーヤ１は、携帯電話３から通話又はメールの受信があった旨の信号を受信すると、再生中の音楽を中断することなく、画面表示やヘッドフォンの振動等の、無音声の通知方法によりユーザに通話又はメールの受信があった旨通知する。【選択図】        図２
2007013708.tif 000002
【特許請求の範囲】
【請求項１】
音声データを音声に再生する音声再生手段と、
電話装置との間で信号の送受信を行う通信手段と、
前記通信手段により前記電話装置から通話またはメールの受信があった旨の信号を受信した場合に前記音声データの再生を中断することなくユーザに対して受信通知を行う受信通知手段と、を備えることを特徴とする携帯音声再生装置。
【請求項２】
前記受信通知手段は、前記音声再生手段に接続されたヘッドフォン又はイヤフォンを振動させることによりユーザに対して受信通知を行うものであることを特徴とする請求項１記載の携帯音声再生装置。
【請求項３】
文字或いは画像又はその双方を表示可能な表示手段を備え、
前記受信通知手段は、前記表示手段に受信があった旨の表示を行うことによりユーザに対して受信通知を行うものであることを特徴とする請求項１又は２記載の携帯音声再生装置。
【請求項４】
前記受信通知手段は、前記音声再生手段が再生する音声が終了した後、前記音声再生手段により受信があった旨の音声を発生させることによりユーザに対して受信通知を行うものであることを特徴とする請求項１から３いずれか記載の携帯音声再生装置。
【請求項５】
前記通信手段は、前記電話装置に記録された留守番電話メッセージを受信するものであり、
前記受信通知手段は、前記音声再生手段が再生する音声が終了した後、前記音声再生手段により前記留守番電話メッセージを再生するものであることを特徴とする請求項１から５いずれか記載の携帯音声再生装置。
【発明の詳細な説明】
【技術分野】
【０００１】
本発明は、携帯型音声再生装置に関し、特に再生中音楽の鑑賞を中断することなく、携帯電話等の電話装置への着信やメールの受信があったことをユーザに通知可能な携帯型音声再生装置に関する。
【背景技術】
【０００２】
ハードディスクドライブ（ＨＤＤ）の小型化・持運び容易化や、大容量の半導体メモリの開発、更には、ＭＰ３を始めとする音声データの圧縮技術の開発により、従来のカセットテープやＭＤなどを用いた携帯音楽プレーヤに代わり、電子データ化された音楽をそれらのメモリに記憶させた携帯音楽プレーヤが数多く開発されている。
【０００３】
従来のカセットテープやＭＤと比較して、小型化により持運びが容易であると共に、収容可能な曲数も大幅に増えたため、途中でディスク等を交換する必要もないため、非常に扱いやすいため、歩行中や、電車等での移動中、一人でくつろいでいるときなど、多くの場面で使用されている。
【０００４】
このような携帯音楽プレーヤは、基本的にはヘッドフォンなどを用いて個人的に音楽を楽しむためのものであり、使用中にはヘッドフォンなどにより耳が塞がれることになる。したがって、他人と会話するときや、電話等をかけるときには、音楽の再生を停止し、ヘッドフォンをはずさなければならず、また、他人から話し掛けられたときや携帯電話を受信した場合などに気付かないことがある。
【０００５】
携帯音楽プレーヤの再生中に携帯電話が鳴った場合に、ユーザに着信があったことをユーザに知らせるための方法としては、携帯電話側に送信機を、携帯音楽プレーヤ側に受信機を、それぞれ接続し、電話等を受信した場合にはその旨の電波を携帯音楽プレーヤ側受信機に送信し、携帯音楽プレーヤのヘッドフォンを介してユーザに受信した旨を告知する、という方法が考えられている（例えば、特許文献１参照）。
【特許文献１】特開２００１−３３３１５２号公報
【発明の開示】
【発明が解決しようとする課題】
【０００６】
しかしながら、特許文献１の方法では、さほど重要でない電話やメールの受信においても、その都度ユーザに告知するため、その度に音楽の鑑賞が中断されてしまう。その一方で、ユーザへの着信通知がなければ、音楽鑑賞に集中するあまり、大事な用件の着信に気付かないこともあり、電話を携帯していることの意味が半減されてしまう。
【０００７】
従って、本発明の目的は、音楽鑑賞の妨害をされることなく、且つ携帯電話への電話やメールの受信があったことを告知可能な携帯音楽プレーヤを提供することにある。
【課題を解決するための手段】
【０００８】
本発明は、上記目的を達成するため、音声データを音声に再生する音声再生手段と、電話装置との間で信号の送受信を行う通信手段と、前記通信手段により前記電話装置から通話またはメールの受信があった旨の信号を受信した場合に前記音声データの再生を中断することなくユーザに対して受信通知を行う受信通知手段と、を備えることを特徴とする携帯音楽再生装置を提供する。
【０００９】
本発明によれば、音楽鑑賞中に携帯電話等の電話装置が通話やメールの着信をした場合に、音楽鑑賞は継続しつつ、携帯に着信のあった旨を通知するので、途中で妨害されることなく音楽鑑賞を楽しむことができると共に、携帯電話等の電話装置に通話やメールの着信があったあことに気付かなくても、着信の通知を受けることができる。
【００１０】
上記受信通知手段は、前記音声再生手段に接続されたヘッドフォン又はイヤフォンを振動させることによりユーザに対して受信通知を行うものや、文字或いは画像又はその双方を表示可能な表示手段に受信があった旨の表示を行うことによりユーザに対して受信通知を行うものであってもよい。
【００１１】
また、上記受信通知手段は、前記音声再生手段が再生する音楽が終了した後、前記音声再生手段により受信があった旨の音声を発生させることによりユーザに対して受信通知を行うものであってもよい。
【００１２】
更に、上記通信手段は、前記電話装置に記録された留守番電話メッセージを受信するものであり、上記受信通知手段は、前記音声再生手段が再生する音声が終了した後、前記音声再生手段により前記留守番電話メッセージを再生するものであってもよい。
【発明の効果】
【００１３】
本発明によれば、音楽鑑賞中に携帯電話が通話やメールの着信をした場合に、音楽鑑賞を妨害されずに楽しむことができ、且つ、携帯電話の通話やメールの着信を知ることができる。
【発明を実施するための最良の形態】
【００１４】
［第１の実施の形態］
以下、本発明に係る携帯音楽プレーヤの第１の実施の形態について、図面を参照しつつ説明する。第１の実施の形態に係る携帯音楽プレーヤは、音楽再生時に携帯電話等の着信があった場合には、音楽再生を中断することなく、ヘッドフォンの振動及び画面表示により着信のあった旨をユーザに通知するものである。
【００１５】
（システムの構成）
図１は、本発明に係る携帯音楽プレーヤ１及び周辺機器からなるシステム全体の構成の一例を示す図である。当該システムは、携帯音楽プレーヤ１、ヘッドフォン２及び携帯電話３からなる。
【００１６】
携帯音楽プレーヤ１は、内蔵する後述のＨＤＤ等に格納された音楽等の音声データを再生し、ヘッドフォン２等を介してユーザに音楽等の音声を鑑賞させる装置である。
【００１７】
携帯音楽プレーヤ１には通信部１７が、携帯電話３には通信部３１が、それぞれ搭載されており、互いに各種信号の送受信を行う。送受信される各種信号の詳細については後述する。
また、図１においては、電話装置として携帯電話が用いられているが、これに限らず、固定電話、ＩＰ電話等を用いたものであってもよい。
【００１８】
（携帯音楽プレーヤ等の内部構成）
図２は、本発明に係る携帯音楽プレーヤ１の内部構成を示すブロック図である。
【００１９】
携帯音楽プレーヤ１は、ＣＰＵ１１と、メモリ１２と、ＨＤＤ１３と、表示部１４と、音声再生部１５と、振動制御部１６と、通信部１７と、受信管理部１８と、メイン内部バス１９とからなる。
【００２０】
ＣＰＵ１１は、携帯音楽プレーヤ１における各機能の制御を司るものであり、各構成部に対して信号を送信し、各種動作を実行させる。
【００２１】
メモリ１２は、携帯音楽プレーヤ１を駆動させるためにＣＰＵ１１に実行させるプログラムの格納や、当該プログラムに用いられる各種パラメータ等の一時的な格納のために用いられるものであり、具体的には、ＲＯＭ、ＲＡＭ、ＨＤＤなどが該当する。
【００２２】
ＨＤＤ１３は、携帯音楽プレーヤ１が再生する音声データ等を格納するためのものである。なお、本実施形態においては、音声データを格納するものとしてＨＤＤを用いているが、本発明はこれに限らず、半導体メモリ、ＭＤ、ＣＤ、ＤＶＤ、カセットテープ等の、再生用の音楽データを格納するためのものであれば、その形態は問わない。ＭＤ、ＣＤ等のメディアを音声データ格納部として用いる場合には、ＨＤＤ１３の代わりに、データ読取部が用いられることになる。
【００２３】
表示部１４は、ＨＤＤ１３に格納された音声データに関する情報、再生中の音楽に関する情報や、携帯電話３における着信状況、携帯電話３から転送されたメールの内容等を表示する。
【００２４】
音声再生部１５は、ＨＤＤ１３に格納された音楽データ等を、接続されたヘッドフォン２等において音声発生が可能な信号に変換した上で、順次ヘッドフォン２等に送信する。
【００２５】
振動制御部１６は、接続された振動機能付きのヘッドフォン２等に内蔵された後述の振動部２２を制御するものであり、音楽再生中にユーザに対する通知がある場合には、振動制御部１６が振動部２２を駆動させ、ヘッドフォン２を振動させることにより通知する。
【００２６】
通信部１７は、携帯電話３に内蔵された通信部３１との通信を司るものであり、携帯電話３への着信があった旨の情報の受信や、携帯音楽プレーヤ１が音楽再生中である旨の情報の携帯電話３への送信等を行う。
【００２７】
受信管理部１８は、携帯電話３からの着信情報の受信に対する制御を管理するものである。音楽鑑賞を優先するようユーザにより設定がなされた場合には、受信管理部１８は、上述のように着信があったときに振動等により着信通知を行い、音声通話を優先するようユーザにより設定がなされた場合には、受信管理部１８は、着信があったときに音楽再生を停止して、音声により着信通知を行うことができる。
【００２８】
また、携帯音楽プレーヤ１に接続されたヘッドフォン２は、音声発生部２１と、振動発生部２２とを備えている。
【００２９】
音声発生部２１は、携帯音楽プレーヤ１に内蔵された音声再生部１５と接続されており、音声再生部１５より送信された音声信号を音声に変換することで、音声を発生させる。
【００３０】
振動発生部２２は、携帯音楽プレーヤ１に内蔵された振動制御部１６と接続されており、振動制御部１６より送信された信号に基づき振動を発生させ、ヘッドフォン２全体を振動させる。
（携帯音楽プレーヤの動作）
次に本発明に係る携帯音楽プレーヤ１の第１の実施の形態における、携帯電話着信時の動作について、図３を参照しつつ説明する。
【００３１】
図３は、携帯電話着信時における第１の実施の形態の携帯音楽プレーヤ１の動作の、時系列に沿った変化を示す図である。
【００３２】
最初に、図３（ａ）において、ユーザ４が携帯音楽プレーヤ１で音楽再生中に、通話相手５から携帯電話３に対して音声通話の着信があると、携帯電話３から携帯音楽プレーヤ１に対して着信があった旨の情報が送信される。
【００３３】
続いて、図３（ｂ）に示すように、通話相手５に対しては呼び出し音が送られる一方、携帯音楽プレーヤ１は、ヘッドフォン２を振動させると共に表示部１４に着信表示を行い、音楽再生を中断することなくユーザ４に対して着信通知を行う。
【００３４】
しかし、図３（ｃ）に示すように、ユーザ４が通話よりも音楽鑑賞を優先して携帯電話３への着信に応答しなかった場合には、一定時間経過後には、図３（ｄ）に示すように、携帯電話３は留守番電話に切り換わり、通話相手５からのメッセージを録音する。そして、ユーザ４は、音楽鑑賞終了後に携帯電話３を取出し、メッセージを聞くことができる。
【００３５】
また、音楽鑑賞終了後には、携帯音楽プレーヤ１からヘッドフォン２を介して音声によるユーザ４への着信通知を再度行うことも可能である。
【００３６】
なお、音声通話の代わりにメールを受信した場合においても、上述の方法のように振動と画面表示によって、メール受信の通知を行うことができる。
【００３７】
（音声通話受信時の動作フロー）
本発明に係る携帯音楽プレーヤ１の第１の実施の形態における、携帯電話３への音声通話受信時の動作を、フローチャートを参照しつつ説明する。尚、以下、特別の表記がない限り、各ステップにおける動作はＣＰＵ１１においてなされるものとする。
【００３８】
図４は、携帯音楽プレーヤ１における携帯電話３への音声通話受信時の動作を示すフローチャートである。
【００３９】
最初に、携帯電話３が着信した旨の通信を受信する（ステップＳ１０１）。携帯電話３が音声通話を受信すると、通信部３１から通信部１７へ着信した旨の通信がなされ、ＣＰＵ１１は、通信部１７より当該通信を受信した旨の信号を受信し、携帯電話３が通話受信したことを確認する。
【００４０】
次に、携帯音楽プレーヤ１が音楽再生中であるか否かの判断がなされ（ステップＳ１０２）、音楽再生中でないと判別した場合には（Ｓ１０２：ＮＯ）、そのまま後述するステップＳ１０７へ処理を移し、音楽再生中であると判別した場合には（Ｓ１０２：ＹＥＳ）、振動制御部１６を介してヘッドフォン２を振動させ、同時に表示部１４に着信表示をさせることにより、無音声によるユーザへの着信通知を行う（ステップＳ１０３）。
【００４１】
次に、通話を着信してから一定時間が経過したか否かの判断がなされる（ステップＳ１０４）。まだ一定時間は経過していないと判別した場合には（Ｓ１０４：ＮＯ）、そのまま無音声着信通知を継続しつつ本ステップの処理を繰り返し、一定時間が経過したと判別した場合には（Ｓ１０４：ＹＥＳ）、通信部１７を介して携帯電話３に対して留守番電話によるメッセージを録音する旨の信号を送信させる（ステップＳ１０５）。
【００４２】
次に、音楽再生が終了したか否かの判断がなされる（ステップＳ１０６）。音楽がまだ再生中であると判別した場合には（Ｓ１０６：ＮＯ）、このステップの処理を繰り返し、再生中であった音楽が終了したと判別した場合には（Ｓ１０６：ＹＥＳ）、音声再生部１５を介して音声発生部２１より、音声通話着信があった旨の音声を発生させ、再度ユーザに対して音声通話着信を通知する（ステップＳ１０７）。
【００４３】
このような構成を採ることにより、音楽再生中に携帯電話に着信があった場合においても、音楽鑑賞を妨害することなく、ユーザに対して着信通知を行うことができる。
【００４４】
［第２の実施の形態］
次に、本発明に係る携帯音楽プレーヤの第２の実施の形態について、図面を参照しつつ説明する。第２の実施の形態に係る携帯音楽プレーヤは、音楽再生時に携帯電話等の着信があった場合には、音楽再生を中断せず、再生中の音楽が終了の後、ヘッドフォンを介して留守番電話のメッセージを再生するものである。
【００４５】
第２の実施の形態に係る携帯音楽プレーヤ１における、システム構成や内部構成は、第１の実施の形態と同様であるので、説明は省略する。
【００４６】
（携帯音楽プレーヤの動作）
次に本発明に係る携帯音楽プレーヤ１の第２の実施の形態における、携帯電話着信時の動作について、図５を参照しつつ説明する。
【００４７】
図５は、携帯電話着信時における第２の実施の形態の携帯音楽プレーヤ１の動作の、時系列に沿った変化を示す図である。
【００４８】
最初に、図５（ａ）において、ユーザ４が携帯音楽プレーヤ１で音楽再生中に、通話相手５から携帯電話３に対して音声通話の着信があると、携帯電話３から携帯音楽プレーヤ１に対して音楽再生の状況の確認がなされる。
【００４９】
携帯音楽プレーヤ１が音楽再生中の場合、携帯電話３に対して留守番電話によるメッセージ録音の指示がなされ、それに応じて、携帯電話３は通話相手５に対して留守番電話による応答を行う。
【００５０】
留守番電話のメッセージ録音が終了すると、図３（ｃ）に示すように、携帯電話３から携帯音楽プレーヤ１へ、録音された留守番電話のメッセージが送信され、当該メッセージが携帯音楽プレーヤ１に保存される。
【００５１】
音楽再生が終了すると、携帯音楽プレーヤ１は、保存されたメッセージの再生を開始し、ヘッドフォン２を介してユーザ４は、当該メッセージを聞くことができる。
【００５２】
なお、音楽再生中において、第１の実施の形態と同様に、ヘッドフォンの振動等により着信があった旨の通知を行うように構成してもよい。
【００５３】
また、音声通話の代わりにメールを受信した場合においても、音楽再生終了後に受信したメールの内容を音声読み上げによりユーザ４に通知することも可能である。
【００５４】
（音声通話受信時の動作フロー）
本発明に係る携帯音楽プレーヤ１の第２の実施の形態における、携帯電話３への音声通話受信時の動作を、フローチャートを参照しつつ説明する。尚、以下、特別の表記がない限り、各ステップにおける動作はＣＰＵ１１においてなされるものとする。
【００５５】
図６は、携帯音楽プレーヤ１における携帯電話３への音声通話受信時の動作を示すフローチャートである。
【００５６】
最初に、携帯電話３が着信した旨の通信を受信する（ステップＳ１１１）。携帯電話３が音声通話を受信すると、通信部３１から通信部１７へ着信した旨の通信がなされ、ＣＰＵ１１は、通信部１７より当該通信を受信した旨の信号を受信し、携帯電話３が通話受信したことを確認する。
【００５７】
次に、携帯音楽プレーヤ１が音楽再生中であるか否かの判断がなされ（ステップＳ１１２）、音楽再生中でないと判別した場合には（Ｓ１１２：ＮＯ）、そのまま後述するステップＳ１１７へ処理を移し、音楽再生中であると判別した場合には（Ｓ１１２：ＹＥＳ）、通信部１７を介して携帯電話３に対して留守番電話によるメッセージを録音する旨の信号を送信させる（ステップＳ１１３）。
【００５８】
次に、携帯電話３における留守番電話のメッセージの録音が終了した後、当該メッセージの音声データを、携帯電話３から通信部１７が受信し、そのデータをＨＤＤ１３に記録させる（ステップＳ１１４）。
【００５９】
次に、音楽再生が終了したか否かの判断がなされる（ステップＳ１１５）。音楽がまだ再生中であると判別した場合には（Ｓ１１５：ＮＯ）、このステップの処理を繰り返し、再生中であった音楽が終了したと判別した場合には（Ｓ１１５：ＹＥＳ）、音声再生部１５を介して音声発生部２１より、ＨＤＤ１３に格納された留守番電話のメッセージを再生する（ステップＳ１１６）。
【００６０】
一方、上述のステップＳ１１２において音楽再生中でないと判別された場合には、音声再生部１５を介して音声発生部２１より、音声通話着信がなされた旨の音声を発生させ、音声を用いてユーザに対して通話着信を通知する（ステップＳ１１７）。
【００６１】
このような構成を採ることにより、音楽再生中に携帯電話に着信があった場合においても、音楽鑑賞を妨害することなく、ユーザに対して通話相手からのメッセージ+を聞かせることができる。
【図面の簡単な説明】
【００６２】
【図１】本発明に係る携帯音楽プレーヤ１及び周辺機器からなるシステム全体の構成の一例を示す図である。
【図２】本発明に係る携帯音楽プレーヤ１の内部構成を示すブロック図である。
【図３】携帯電話着信時における第１の実施の形態の携帯音楽プレーヤ１の動作の、時系列に沿った変化を示す図である。
【図４】第１の実施の形態の携帯音楽プレーヤ１における携帯電話３への音声通話受信時の動作を示すフローチャートである。
【図５】携帯電話着信時における第２の実施の形態の携帯音楽プレーヤ１の動作の、時系列に沿った変化を示す図である。
【図６】第２の実施の形態の携帯音楽プレーヤ１における携帯電話３への音声通話受信時の動作を示すフローチャートである。
【符号の説明】
【００６３】
１、携帯音楽プレーヤ  ２、ヘッドフォン  ３、携帯電話  ４、ユーザ  ５、通話相手  
１１、ＣＰＵ  １２、メモリ  １３、ＨＤＤ  １４、表示部  １５、音声再生部  
１６、振動制御部  １７、通信部  １８、受信管理部  １９、メイン内部バス  
２１、音声発生部  ２２、振動発生部  ３１、通信部  
【図１】
2007013708.tif 000003
【図２】
2007013708.tif 000004
【図３】
2007013708.tif 000005
【図４】
2007013708.tif 000006
【図５】
2007013708.tif 000007
【図６】
2007013708.tif 000008